(57)【特許請求の範囲】
【請求項１】
コンピュータシステム用の筐体であって、
当該筐体は、当該筐体へのアクセスのために少なくとも１つの第一の筐体の壁で開くことができ、外部接続プラグ用の開口は、第二の筐体の壁に設けられ、
当該筐体は、前記第一の筐体の壁を固定して、当該筐体が開くのを防止する固定装置を有しており、
前記固定装置は、前記外部接続プラグ用の前記開口に設けられ、前記外部接続プラグが前記開口に挿入されたときに前記第一の筐体の壁が固定され、前記外部接続プラグが前記開口に挿入されないときに前記第一の筐体の壁の固定が解除されるように、前記外部接続プラグを介して作動可能であり、
前記固定装置は、少なくとも１つのかんぬき状部品を有しており、
前記少なくとも１つのかんぬき状部品は、第一の位置と第二の位置との間で移動可能であり、前記少なくとも１つのかんぬき状部品は、前記第一の位置において前記第一の筐体の壁と係合しておらず、前記第二の位置に置いて前記第一の筐体の壁と係合し、
前記第一の位置において、前記外部接続プラグが前記第二の筐体の壁の前記開口の中に挿入されるとき、前記少なくとも１つのかんぬき状部品は、第一の端部で前記外部接続プラグ用の前記開口に突出し、前記外部接続プラグとの接触に応じて前記第二の位置に押される、
筐体。
【請求項２】
前記少なくとも１つのかんぬき状部品は、弾力性のあるエレメントを介して搭載されるばねであり、
前記少なくとも１つのかんぬき状部品は、前記弾力性のあるエレメントが張力を受けている状態にないときに前記第一の位置にあり、前記弾力性のあるエレメントの力に逆らって前記第一の位置から前記第二の位置に変わる、
請求項１記載の筐体。
【請求項３】
前記少なくとも１つのかんぬき状部品の前記第一の端部は、前記外部接続プラグとの機械的な相互作用のための傾斜した面を有する、
請求項１又は２に記載の筐体。
【請求項４】
前記第一の位置から前記第二の位置への前記少なくとも１つのかんぬき状部品の動きの方向は、回転運動であるか、又は、前記開口に挿入されている前記外部接続プラグの動きの方向に対して線形に傾斜される、
請求項１乃至３のいずれか１項に記載の筐体。
【請求項５】
前記少なくとも１つのかんぬき状部品の前記動きの方向は、前記外部接続プラグの前記動きの方向に対して略垂直である、
請求項４に記載の筐体。
【請求項６】
前記外部接続プラグの挿入の動きは、前記第一の筐体の壁を固定する又は固定を解除するための前記少なくとも１つのかんぬき状部品の作動の動きに変換される、
請求項４又は５に記載の筐体。
【請求項７】
当該筐体を開くため、前記第一の筐体の壁は、前記筐体に関して旋回して搭載されるか、当該筐体から完全に除かれる、
請求項１乃至６の何れか１項に記載の筐体。
【請求項８】
請求項１乃至７の何れか１項に記載の筐体をもつコンピュータシステムであって、
少なくとも１つのシステムボードと、前記第二の筐体の壁の前記開口の背後にある、前記外部接続プラグとの電気的な相互作用のための電源コネクタとが筐体に設けられる、
コンピュータシステム。
【発明の詳細な説明】
【技術分野】
【０００１】
本発明は、コンピュータシステム用の筐体に関し、この場合、筐体は、筐体へのアクセスのために少なくとも１つの第一の筐体の壁で開くことができ、外部の接続プラグ用の開口は、第二の筐体の壁に設けられ、筐体は、筐体の開きを防止するために第一の筐体の壁を固定する固定装置を有する。  
さらに、本発明は、係る筐体をもつコンピュータシステムに関する。
【背景技術】
【０００２】
コンピュータシステムは、導通している電子コンポーネント及び／又は電圧が存在する電子コンポーネントを有する。コンピュータシステムの筐体が開かれているとき、不適切な操作により、電気ショック（いわゆる、「パワーハザード」又は電気事故の危険）の危険がある。不適切な操作は、例えば、筐体が開いているときにコンピュータシステムが外部の電流源又は電圧源に外部接続プラグを介して接続された事実により与えられる。これは、例えば供給ネットワーク（送電網）に接続される（電源のような）電流供給ユニットを介して行われる。
【０００３】
高い（入力）電圧は、筐体、特にコンピュータシステムにおける電子コンポーネントに存在し、この電子コンポーネントでは、送電網側の交流電圧を電源電圧に変換する電源は、コンピュータシステムの筐体内に配置される。
【特許文献１】DE102009019517
【特許文献２】DE29816033
【特許文献３】DE9404326
【発明の概要】
【発明が解決しようとする課題】
【０００４】
本発明の目的は、ユーザのパワーハザードが大幅に低減又は予防されるように、不適切な操作に関してコンピュータシステムを安全にすることである。
【課題を解決するための手段】
【０００５】
上記目的は、上述された類の筐体を通して解決され、外部接続プラグの開口で固定装置が設けられ、外部接続プラグが開口に挿入されたときに、第一の筐体の壁が固定され、外部接続プラグが開口に挿入されないときに、第一の筐体の壁の固定が解除されるように、外部接続プラグを介して作動可能である。
【０００６】
外部接続プラグが第二の筐体の壁にある開口に挿入されないときにのみ、係る筐体は、第一の筐体の壁で開くことができる。このように、外部接続プラグが差し込まれたとき、例えば筐体内部の電子コンポーネントに外部から電力が供給されたとき、筐体の内部へのアクセスが防止される。外部接続プラグが引き抜かれたときにのみ、固定装置は、第一の筐体の壁を開くことができるように、第一の筐体の壁を開放する。このように、導通しているコンポーネント又は電圧が筐体内部に存在するコンポーネントからの電気ショックの危険が大幅に低減されるか又は防止される。
【０００７】
固定装置は、外部接続プラグ用に開口に設けられ、同時に、外部接続プラグが開口に挿入される限り、固定装置が第一の筐体の壁を固定するように、第一の筐体の壁に結合される。
【０００８】
用語「第一」及び「第二」の筐体の壁とは、ある筐体のうちの、異なる筐体の壁を示す。これは、第一の筐体の壁は、第一の表面に広がり、第二の筐体の壁は、第二の表面に広がる。２つの表面は、互いに平行にされない。最も簡単な場合、第一の筐体の壁は、第二の筐体の壁に殆ど垂直になるように設計される。例えば、第一の筐体の壁は、筐体の側壁であり、第二の筐体の壁は、筐体の後壁である。
【０００９】
このように、この種の筐体は、たとえ筐体が開いており、電流を導通している電子コンポーネント及び／又は電圧が存在する電子コンポーネントがユーザにとってアクセス可能であるとしても、筐体により収容されるコンピュータシステムが送電網に接続されることから構成される不適切な操作を回避する。このように、電気ショックの危険は、前記筐体により大幅に低減されるか、更には防止される。
【００１０】
係る筐体は、電源ユニット、すなわち電源が筐体に統合されるコンピュータシステムにとって特に有利である。電源ユニットは、この場合、電源ユニットが取り外し可能でないように、筐体に永続的に統合される。
【００１１】
１実施の形態では、固定装置は、少なくとも１つのかんぬき状部品（bolt）を備えており、このかんぬき状部品は、第一の位置と第二の位置との間で移動することができ、この場合、かんぬき状部品は、第一の位置において第一の筐体の壁と係合しておらず、第二の位置に置いて第一の筐体の壁と係合している。
【００１２】
かんぬき状部品自身は、外部接続プラグと機械的に相互作用することが考えられる。或いは、少なくとも１つの結合素子が、外部接続プラグをかんぬき状部品に接続する確動結合（positive  coupling）のため、外部接続プラグとかんぬき状部品との間に設けられる。
【００１３】
１実施の形態では、かんぬき状部品は、弾力性のあるエレメントを介して搭載されるスプリングである。かんぬき状部品は、弾力性のあるエレメントが弛緩されているとき、すなわち緊張下にないとき、第一の位置にあり、弾力性のあるエレメントの力に逆らって第一の位置から第二の位置に変化する。弾力性のあるエレメントは、任意の種類のばねのエレメントとすることができる。かんぬき状部品を弾力性のあるエレメントに結合する利点は、かんぬき状部品が第一の位置に自動的に移動し、外部接続プラグが筐体の開口から引き抜かれたとき、そこで保持されるという事実にある。外部接続プラグと固定装置との間の機械的な相互作用がある場合にのみ、結合装置又はかんぬき状部品と直接的に、かんぬき状部品は、弾力性のあるエレメントの力に対して第二の位置にもたらされ、そこで保持される。
【００１４】
外部接続プラグが開口から移動されるとすぐ、かんぬき状部品は、弾力性のあるエレメントの力により、第二の位置から第一の位置に強制的に戻される。これは、外部接続プラグが移動されるとき、筐体の固定が自動的に解除されることを保証する。固定の解除の更なる動作は、不要である。
【００１５】
１実施の形態では、第一の位置から第二の位置へのかんぬき状部品の位置の方向は、回転運動である。これは、外部接続プラグの挿入の動きに対して第一の位置と第二の位置との間で、かんぬき状部品が旋回することを意味する。
【００１６】
代替的な実施の形態では、かんぬき状部品の動きの方向は、開口に挿入される外部接続プラグの動きの方向に対して線形に傾斜される。ここで「線形に傾斜される」とは、かんぬき状部品の動きの方向が外部接続プラグの動きの方向に対して平行ではないことを意味する。特に、かんぬき状部品の動きの方向は、外部接続プラグの動きの方向に仮想的に垂直である。かんぬき状部品の代替的な動きによる両者の実施の形態では、外部接続プラグの挿入の動きは、第一の筐体の壁の固定を解除するため、かんぬき状部品の作動の動きに変換される。
【００１７】
有利なことに、上述された種類の筐体をもつコンピュータシステムが設計され、この場合、コンピュータシステムの少なくとも１つのシステムボード、及び筐体の第二の筐体の壁における開口の背後にある、外部接続プラグとの電気的な相互作用のための電源コネクタが筐体に配置される。
【００１８】
１実施の形態では、コンピュータシステムは、例えばシステムボード上に、コンピュータシステムの筐体に配置される電源ユニット、すなわち電源を備える。ここで、電源ユニットは、電源ユニットが取り外し可能でないように、コンピュータシステムの筐体に固定的に搭載することができる。コンピュータシステムに電力を供給するため、外部接続プラグは、筐体の開口を通して挿入され、電力が外部からコンピュータシステムに給電することができるように、筐体における電源コネクタと接続される。
【００１９】
特に、筐体に統合される電源ユニットの場合、例えば２３０ＶＡＣといった送電網からの交流電圧は、外部からコンピュータシステムに供給される。特に、後者の場合、送電網の外部接続プラグが筐体から引き抜かれたときにのみ、第一の筐体の壁で、コンピュータシステムの筐体を開くことができることは有利である。このように、コンピュータシステムの操作又はサービス要員にとって電気ショックの危険が大幅に低減される。
【００２０】
様々な実施の形態では、コンピュータシステムは、シンクライアント、オールインワンＰＣ又はミニＰＣである。
【００２１】
他の有利な実施の形態は、従属の請求項で開示され、後続の図面の説明において開示される。本発明の内容は、多数の図面により更に説明される。
【図面の簡単な説明】
【００２２】
【図１】第一の状態における外部接続プラグとコンピュータシステムの筐体の一部とをもつ構成の斜視図である。
【図２】第二の状態における図１の構成を示す斜視図である。
【図３】外部接続プラグと筐体の一部との構成の断面図である。
【図４Ａ】第一の状態における、代替的な実施の形態における、接続プラグと筐体の一部との構成の断面図である。
【図４Ｂ】第二の状態における、図４Ａの構成の断面図である。
【図４Ｃ】筐体のコンポーネントの代替的な実施の形態を示す図である。
【発明を実施するための形態】
【００２３】
図１は、外部接続プラグ７と筐体１の一部との構成を示す。図１では、外部接続プラグ７は、筐体１に接続されていない。筐体１は、外部接続プラグ７用の開口４をもつ筐体の側壁３を有する。外部接続プラグ７との電気的な相互作用のための電源コネクタ６は、開口４の背後で筐体の内部に設けられている。筐体１は、例えば、（例えばシンクライアント、オールインワンＰＣ又はミニＰＣといった）コンピュータシステムの筐体を形成し、コンピュータシステムは、外部接続プラグ７を介して電力が供給される。
【００２４】
さらに、筐体１は、２つのかんぬき状部品５ａ及び５ｂをもつ固定装置を備える。かんぬき状部品５ａ及び５ｂは、外部接続プラグ７の動きの方向（矢印を参照）にほぼ垂直に移動可能となるように配置される。特に、かんぬき状部品５ａは、図１に示される第一の位置から、矢印の方向において上方向である第二の位置に移動することができる。かんぬき状部品５ｂは、図１に示される第一の位置から、矢印の方向において下方向である第二の位置に移動することができる。かんぬき状部品５ａ及び５ｂのそれぞれは、第一の端部１５ａ及び１５ｂをそれぞれ有し、第一の端部１５ａ及び１５ｂは、図１におけるように第一の位置に置いて、外部接続プラグの開口４に突き出ている。これは、第一の端部１５ａ及び１５ｂが、外部接続プラグ７と機械的に相互作用することができるように、開口４に突き出ることを意味する。かんぬき状部品５ａ及び５ｂの第二の端部２５ａ及び２５ｂのそれぞれは、筐体の側壁３を越えて突き出て、以下に説明されるように、更なる筐体の壁を固定する役割を果たす。
【００２５】
図１の実施の形態において、かんぬき状部品５ａ及び５ｂの第一の端部１５ａ及び１５ｂは、傾斜した面が設けられており、この面は、それらの動きの関連する方向（矢印参照）において、２つのかんぬき状部品５ａ及び５ｂを、外部接続プラグ７との接触に応じて、強制的に第二の位置にする。これは、外部接続プラグ７が筐体の側壁３で開口４に挿入されたとき、かんぬき状部品５ａ及び５ｂは、傾斜した面１５ａ及び１５ｂを介して、上方向又は下方向にそれぞれ押されることを意味する。
【００２６】
図２は、図１の構成を示しており、この場合、外部接続プラグ７は、開口４に挿入されており（図１参照）、２つのかんぬき状部品５ａ及び５ｂは、上述されたように移動している。これは、かんぬき状部品５ａ及び５ｂは、第二の位置にあり、これは、図１における位置とは異なる。特に、かんぬき状部品５ａ及び５ｂの第二の端２５ａ及び２５ｂは、上方向又は下方向にそれぞれ移動されている。図２に示される位置において、端部２５ａ及び２５ｂは、以下に説明されるように、筐体のパネル又は筐体の壁を固定する役割を果たす。
【００２７】
図３は、外部接続プラグ７をもつ構成の断面図を示し、外部接続プラグは、筐体の側壁３における開口を通して筐体１に挿入される。
【００２８】
特に、外部接続プラグ７は、筐体１の内部における電源コネクタ６に接続され、この場合、電源コネクタ６は、システムボード９上に搭載される。
【００２９】
かんぬき状部品５ａ及び５ｂは、先に説明されたように、第一の端部１５ａ及び１５ｂで傾斜した面を介して外部接続プラグ７により、第一の位置（図１参照）から図３に示される第二の位置に移動されている。図３において、かんぬき状部品５ａ及び５ｂの第二の端部２５ａ及び２５ｂのそれぞれは、筐体１のＬ字型の取り付け用金具（bracket）８ａ及び８ｂにおける開口１８ａ及び１８ｂを通して突き出ている。さらに、第二の端部２５ａ及び２５ｂは、筐体１の筐体パネル２ａ及び２ｂの溝１２ａ及び１２ｂに突き出ている。
【００３０】
従って、図３の設計では、かんぬき状部品５ａ及び５ｂは、２重の固定機能を行う。第一の固定機能は、端部２５ａ及び２５ｂがＬ字型の取り付け用金具を通して滑り抜ける事実から生じる。Ｌ字型の取り付け用金具８ａ及び８ｂは、筐体の内部を固定する役割を果たし、例えば筐体の側壁３に堅固にネジ止めされる。このように、筐体１は、Ｌ字型の取り付け用金具８ａ及び８ｂにより、筐体の内部へのアクセスに対して保護される。
【００３１】
更なる固定機能は、第二の端部２５ａ及び２５ｂの外側の筐体パネル２ａ及び２ｂへの溝１２ａ及び１２ｂへの滑りから生じる。筐体パネル２ａ及び２ｂは、例えば、筐体１の外部の美的なエンクロージャの役割を果たし、例えばプラスティックデザインのカバーを形成する。しかし、筐体のパネル２ａ及び２ｂは、外部の筐体のカバー及び筐体のエンクロージャの安全の役割を担う。
【００３２】
筐体のパネル２ａ及び２ｂは、図３に示される固定を通してＬ字型の取り付け用金具８ａ及び８ｂ並びにパネル２ａ及び２ｂの両者の固定のため、開くこと又は取り除くことができない。従って、筐体１は、筐体の壁２ａ及び２ｂ並びに８ａ及び８ｂを開くことができないように、図３に示される形態で固定される。従って、外部接続プラグ７が差し込まれた場合に、筐体の内部へのアクセスは可能ではない。特に、このように、例えばシステムボード９といった電子コンポーネントに、外部接続プラグ７を介して送電網からの交流電圧が供給されたときに、筐体の内部において電流を伝送するコンポーネントへのアクセスが防止される。
【００３３】
外部接続プラグ７が引き抜かれ、且つ電源コネクタ６への電気接続が切断されたときにのみ、かんぬき状部品５ａ及び５ｂは、例えば弾力性のあるエレメント（図示せず）により本来の位置（図１参照）に戻る。これにより、筐体パネル２ａ及び２ｂ、或いはＬ字型の取り付け用金具８ａ及び８ｂの固定がキャンセルされる。筐体のパネル２ａ及び２ｂは、例えば水平方向にシフトされ、筐体１から取り除くことができる。Ｌ字型の取り付け用金具８ａ及び８ｂは、筐体の側壁３から分離することができ、筐体の内部が開かれるように、例えば上に向けて又は下に向けて取り除くことができる。
【００３４】
図４Ａは、かんぬき状部品５ａを含む固定装置を介して、筐体１上のＬ字型の取り付け金具８ａの固定の例示的な別の実施の形態を示す。先の実施の形態とは対照的に、図４Ａにおける実施の形態におけるかんぬき状部品５ａは、並進的に移動可能ではないが、回転的に移動可能である。これは、かんぬき状部品５ａが予め決定された回転軸に関して旋回することができることを意味する。かんぬき状部品５ａは、傾斜した面をもつ第一の端部１５ａ、及び、固定用のピン又は歯をもつ第二の端部２５ａを有する。固定用のピンは、筐体の側壁３における溝１３に、Ｌ字型の取り付け用金具８ａにおける開口を通して滑るように、従ってＬ字型の取り付け用金具８ａを固定するために設計される。
【００３５】
図１〜図３における実施の形態と同様に、図４Ａにおけるかんぬき状部品５ａは、外部接続プラグ７を介して操作され、この外部接続プラグ７は、筐体の側壁３における開口４に挿入される。図４Ａにおいて、外部接続プラグ７は、筐体１に部分的にのみ挿入され、かんぬき状部品５ａと未だ相互作用していない。従って、かんぬき状部品５ａは、任意に弾力性のあるエレメント（図示せず）の支援により、第一の位置で保持される。この第一の位置に置いて、Ｌ字型の取り付け用金具８ａは、自由に移動され、筐体１と揃えられる。
【００３６】
図４Ｂにおいて、外部接続プラグ７は、筐体１に完全に挿入され、かんぬき状部品５ａが第二の位置に旋回されるように、かんぬき状部品５ａは、傾斜した面を介して第一の端部１５ａで作動される。第二の位置において、その固定用ピンをもつかんぬき状部品５ａの第二の端部２５ａは、Ｌ字型の取り付け用金具８ａにおける開口１８ａを通して滑り、筐体の側壁３における溝１３に収まる。このように、Ｌ字型の取り付け用金具８ａは固定され、もはや筐体１から取り除くことができない。図４Ｂは、外部接続プラグ７が筐体の内部における電源コネクタ（図３参照）と電気的に相互作用する状態を表す。
【００３７】
筐体１のＬ字型の取り付け用金具８ａの固定に関する別の代替的な実施の形態では、図４Ｃに示される。この場合、かんぬき状部品５ａの第一の端部２５ａ（図４Ａ及び図４Ｂを参照）がかぎ形にされ、Ｌ字型の取り付け用金具８ａにおける溝又はへこみ部分１８ａに係合することができる点で、固定が行われる。このように、Ｌ字型の取り付け用金具８ａは、例として、図４Ａ及び図４Ｂに示されるやり方で固定することができる。
【００３８】
前記種類の固定装置は、電気接続プラグが引き抜かれたときにのみ、コンピュータシステムの筐体が開くという利点を有する。これにより、筐体が開いたときに筐体の内部における電子コンポーネントに電力が供給されることが防止される。従って、電気ショックの危険が大幅に低減されるか、防止される。
【００３９】
図示されない実施の形態では、異なる接続プラグにより代替的に作動可能なように、固定装置を設計することが考えられる。ここで、複数の接続プラグの少なくとも１つが差し込まれたときに筐体を自動的に固定し、接続プラグの全てが引き抜かれたときにのみ筐体を開放することが考えられる。
【符号の説明】
【００４０】
１：筐体
２ａ，２ｂ：筐体のパネル
３：筐体の側壁
４：外部接続プラグの開口
５ａ，５ｂ：かんぬき状部品
６：電源コネクタ
７：接続プラグ
８ａ，８ｂ：Ｌ字型の取り付け用金具
９：システムボード
１２ａ，１２ｂ：筐体のパネルにおける溝
１３：筐体の側壁における溝
１５ａ，１５ｂ：かんぬき状部品の第一の端部
２５ａ，２５ｂ：かんぬき状部品の第二の端部
【図１】
0006055676.tif 000002
【図２】
0006055676.tif 000003
【図３】
0006055676.tif 000004
【図４Ａ】
0006055676.tif 000005
【図４Ｂ】
0006055676.tif 000006
【図４Ｃ】
0006055676.tif 000007